(57)【要約】  ワイヤレスデバイスにリソースを割り当てるための機構が提供される。方法はネットワークノードによって実施される。方法は、探索スペース内の制御メッセージをワイヤレスデバイスに送信することを含み、探索スペースは、制御チャネルエレメント（ＣＣＥ）の少なくとも２つのグループを含み、ＣＣＥのグループのうちの１つが制御メッセージを含む。方法は、ワイヤレスデバイスについてのリソースを含むＣＣＥのグループのうちの少なくとも１つを示す情報をワイヤレスデバイスに送信することを含む。【選択図】図２
2019521566.tif 000002
【特許請求の範囲】
【請求項１】
ワイヤレスデバイス（３００ａ）にリソースを割り当てるための方法であって、ネットワークノード（２００）によって実施され、
探索スペース内の制御メッセージを前記ワイヤレスデバイスに送信すること（Ｓ１０４）であって、前記探索スペースが、制御チャネルエレメント（ＣＣＥ）の少なくとも２つのグループを含み、ＣＣＥの前記グループのうちの１つが前記制御メッセージを含む、送信すること、および
ＣＣＥの前記グループのうちの少なくとも１つが前記ワイヤレスデバイスについてのリソースを含むことを示す情報を前記ワイヤレスデバイスに送信すること（Ｓ１０６）
を含む、方法。
【請求項２】
ＣＣＥの各グループのサイズを示す設定情報を送信すること（Ｓ１０２）
をさらに含む、請求項１に記載の方法。
【請求項３】
前記設定情報が、無線リソース制御（ＲＲＣ）シグナリング、または物理ダウンリンク制御チャネルで送信される、請求項２に記載の方法。
【請求項４】
ネットワークノード（２００）からリソースの割当てを受信するための方法であって、ワイヤレスデバイス（３００ａ）によって実施され、
探索スペース内の制御メッセージを前記ネットワークノードから受信すること（Ｓ２０６）であって、前記探索スペースが、制御チャネルエレメント（ＣＣＥ）の少なくとも２つのグループを含み、ＣＣＥの前記グループのうちの１つが前記制御メッセージを含む、受信すること、および
ＣＣＥの前記グループのうちの少なくとも１つが前記ワイヤレスデバイスについてのリソースを含むことを示す情報を前記ネットワークノードから受信すること（Ｓ２０８）
を含む、方法。
【請求項５】
ＣＣＥの各グループのサイズを示す設定情報を受信すること（Ｓ２０２）
をさらに含む、請求項４に記載の方法。
【請求項６】
前記設定情報が、無線リソース制御（ＲＲＣ）シグナリング、または物理ダウンリンク制御チャネル（ＰＤＣＣＨ）で受信される、請求項５に記載の方法。
【請求項７】
前記情報が、前記制御メッセージを含まないＣＣＥのグループのみを示す、請求項１から６のいずれか一項に記載の方法。
【請求項８】
ＣＣＥの前記グループ内の前記リソースの開始位置を示す設定情報を受信すること（Ｓ２０４）
をさらに含む、請求項４に記載の方法。
【請求項９】
前記制御メッセージがＣＣＥの前記グループのうちの１つで提供され、前記ワイヤレスデバイスについての別の制御メッセージも、ＣＣＥの前記グループのうちの前記１つで提供される、請求項１から８のいずれか一項に記載の方法。
【請求項１０】
ＣＣＥの前記グループのすべてよりも少ないものだけが、前記制御メッセージおよび／または前記ワイヤレスデバイスについての前記リソースを含むことが可能にされている、請求項１から９のいずれか一項に記載の方法。
【請求項１１】
前記情報がビットマップによって定義される、請求項１から１０のいずれか一項に記載の方法。
【請求項１２】
ＣＣＥの各グループが、少なくとも２つのアグリゲーションレベル（ＡＬ）のＣＣＥを含むようなサイズを有する、請求項１から１１のいずれか一項に記載の方法。
【請求項１３】
前記少なくとも２つのＡＬのうちの１つが最大ＡＬである、請求項１２に記載の方法。
【請求項１４】
前記リソースがダウンリンクリソースである、請求項１から１３のいずれか一項に記載の方法。
【請求項１５】
前記ダウンリンクリソースが、ショート物理ダウンリンク共有チャネル（ＰＤＳＣＨ）のために使用されるリソースである、請求項１４に記載の方法。
【請求項１６】
前記制御メッセージが、ダウンリンク割当てまたはアップリンクグラントである、請求項１から１５のいずれか一項に記載の方法。
【請求項１７】
前記制御メッセージがダウンリンク制御情報（ＤＣＩ）であり、かつ／または前記探索スペースがＣＣＥを含む制御チャネルであり、かつ／または前記制御チャネルが物理ダウンリンク制御チャネルである、請求項１から１６のいずれか一項に記載の方法。
【請求項１８】
前記ワイヤレスデバイスについてのリソースのために使用されていないＣＣＥの任意のグループが、リソースのうちの少なくとも１つと、少なくとも１つの他のワイヤレスデバイス（３００ｂ）についての制御メッセージとを含む、請求項１から１７のいずれか一項に記載の方法。
【請求項１９】
前記情報が、前記ワイヤレスデバイスについての前記制御メッセージおよび／またはデータメッセージを含むＣＣＥの前記グループのうちの少なくとも１つの指示を含む、請求項１から１８のいずれか一項に記載の方法。
【請求項２０】
前記制御メッセージが前記ワイヤレスデバイスに特有のものである、請求項１から１９のいずれか一項に記載の方法。
【請求項２１】
前記ワイヤレスデバイスがショート送信時間間隔（ＴＴＩ）で動作しており、前記制御メッセージが第２の制御メッセージであり、前記ワイヤレスデバイスが、ショートＴＴＩ動作のための周波数帯を示す第１の制御メッセージをさらに受信する、請求項１から２０のいずれか一項に記載の方法。
【請求項２２】
ＣＣＥグループ内の制御メッセージの開始位置が、異なるアグリゲーションレベルの制御メッセージに共通である、請求項１から２１のいずれか一項に記載の方法。
【請求項２３】
前記ワイヤレスデバイスが、前記ワイヤレスデバイスについての前記制御メッセージを含み、かつ前記制御メッセージのために使用されていないＣＣＥグループ内のリソースが、データメッセージについての割当てを含むと決定する、請求項１から２２のいずれか一項に記載の方法。
【請求項２４】
前記ワイヤレスデバイスが、ＣＣＥグループ内の前記制御メッセージを受信する唯一のワイヤレスデバイスであるか、または前記ワイヤレスデバイスが、１つまたは複数の別のワイヤレスデバイスと前記ＣＣＥグループを共有する、請求項１から２３のいずれか一項に記載の方法。
【請求項２５】
複数のワイヤレスデバイスが、アップリンクグラントをそれぞれ受信するためにＣＣＥグループを共有する、請求項１から２４のいずれか一項に記載の方法。
【請求項２６】
ワイヤレスデバイス（３００ａ）にリソースを割り当てるためのネットワークノード（２００）であって、処理回路（２１０）を備え、前記処理回路が、前記ネットワークノード（２００）に、
探索スペース内の制御メッセージを前記ワイヤレスデバイスに送信することであって、前記探索スペースが、制御チャネルエレメント（ＣＣＥ）の少なくとも２つのグループを含み、ＣＣＥの前記グループのうちの１つが前記制御メッセージを含む、送信すること、および
ＣＣＥの前記グループのうちの少なくとも１つが前記ワイヤレスデバイスについてのリソースを含むことを示す情報を前記ワイヤレスデバイスに送信すること
をさせるように設定されている、ネットワークノード（２００）。
【請求項２７】
ワイヤレスデバイス（３００ａ）にリソースを割り当てるためのネットワークノード（２００）であって、
処理回路（２１０）と、
前記処理回路（２１０）によって実行されると、前記ネットワークノード（２００）に、
探索スペース内の制御メッセージを前記ワイヤレスデバイスに送信することであって、前記探索スペースが、制御チャネルエレメント（ＣＣＥ）の少なくとも２つのグループを含み、ＣＣＥの前記グループのうちの１つが前記制御メッセージを含む、送信すること、および
ＣＣＥの前記グループのうちの少なくとも１つが前記ワイヤレスデバイスについてのリソースを含むことを示す情報を前記ワイヤレスデバイスに送信すること
をさせる命令を記憶したコンピュータプログラム製品（１０１０ａ）と
を備える、ネットワークノード（２００）。
【請求項２８】
ワイヤレスデバイス（３００ａ）にリソースを割り当てるためのネットワークノード（２００）であって、
探索スペース内の制御メッセージを前記ワイヤレスデバイスに送信するように設定された送信モジュールであって、前記探索スペースが、制御チャネルエレメント（ＣＣＥ）の少なくとも２つのグループを含み、ＣＣＥの前記グループのうちの１つが前記制御メッセージを含む、送信モジュールと、
ＣＣＥの前記グループのうちの少なくとも１つが前記ワイヤレスデバイスについてのリソースを含むことを示す情報を前記ワイヤレスデバイスに送信するように設定された送信モジュールと
を備える、ネットワークノード（２００）。
【請求項２９】
ネットワークノード（２００）からリソースの割当てを受信するためのワイヤレスデバイス（３００ａ、３００ｂ）であって、処理回路（３１０）を備え、前記処理回路が、前記ワイヤレスデバイス（３００ａ、３００ｂ）に、
探索スペース内の制御メッセージを前記ネットワークノードから受信することであって、前記探索スペースが、制御チャネルエレメント（ＣＣＥ）の少なくとも２つのグループを含み、ＣＣＥの前記グループのうちの１つが前記制御メッセージを含む、受信すること、および
ＣＣＥの前記グループのうちの少なくとも１つが前記ワイヤレスデバイスについてのリソースを含むことを示す情報を前記ネットワークノードから受信すること
させるように設定されている、ワイヤレスデバイス（３００ａ、３００ｂ）。
【請求項３０】
ネットワークノード（２００）からリソースの割当てを受信するためのワイヤレスデバイス（３００ａ、３００ｂ）であって、
処理回路（３１０）と、
前記処理回路（３１０）によって実行されると、前記ワイヤレスデバイス（３００ａ、３００ｂ）に、
探索スペース内の制御メッセージを前記ネットワークノードから受信することであって、前記探索スペースが、制御チャネルエレメント（ＣＣＥ）の少なくとも２つのグループを含み、ＣＣＥの前記グループのうちの１つが前記制御メッセージを含む、受信すること、および
ＣＣＥの前記グループのうちの少なくとも１つが前記ワイヤレスデバイスについてのリソースを含むことを示す情報を前記ネットワークノードから受信すること
をさせる命令を記憶したコンピュータプログラム製品（１０１０ｂ）と
を備える、ワイヤレスデバイス（３００ａ、３００ｂ）。
【請求項３１】
ネットワークノード（２００）からリソースの割当てを受信するためのワイヤレスデバイス（３００ａ、３００ｂ）であって、
探索スペース内の制御メッセージを前記ネットワークノードから受信するように設定された受信モジュールであって、前記探索スペースが、制御チャネルエレメント（ＣＣＥ）の少なくとも２つのグループを含み、ＣＣＥの前記グループのうちの１つが前記制御メッセージを含む、受信モジュールと、
ＣＣＥの前記グループのうちの少なくとも１つが前記ワイヤレスデバイスについてのリソースを含むことを示す情報を前記ネットワークノードから受信するように設定された受信モジュールと
を備える、ワイヤレスデバイス（３００ａ、３００ｂ）。
【請求項３２】
ワイヤレスデバイス（３００ａ）にリソースを割り当てるためのコンピュータプログラム（１０２０ａ）であって、ネットワークノード（２００）の処理回路（２１０）上で実行されるとき、前記ネットワークノード（２００）に、
探索スペース内の制御メッセージを前記ワイヤレスデバイスに送信すること（Ｓ１０４）であって、前記探索スペースが、制御チャネルエレメント（ＣＣＥ）の少なくとも２つのグループを含み、ＣＣＥの前記グループのうちの１つが前記制御メッセージを含む、送信すること、および
ＣＣＥの前記グループのうちの少なくとも１つが前記ワイヤレスデバイスについてのリソースを含むことを示す情報を前記ワイヤレスデバイスに送信すること（Ｓ１０６）
をさせるコンピュータコードを含む、コンピュータプログラム（１０２０ａ）。
【請求項３３】
ネットワークノード（２００）からリソースの割当てを受信するためのコンピュータプログラム（１０２０ｂ）であって、ワイヤレスデバイス（３００ａ、３００ｂ）の処理回路（３１０）上で実行されるとき、前記ワイヤレスデバイス（３００ａ、３００ｂ）に、
探索スペース内の制御メッセージを前記ネットワークノードから受信すること（Ｓ２０６）であって、前記探索スペースが、制御チャネルエレメント（ＣＣＥ）の少なくとも２つのグループを含み、ＣＣＥの前記グループのうちの１つが前記制御メッセージを含む、受信すること、および
ＣＣＥの前記グループのうちの少なくとも１つが前記ワイヤレスデバイスについてのリソースを含むことを示す情報を前記ネットワークノードから受信すること（Ｓ２０８）
をさせるコンピュータコードを含む、コンピュータプログラム（１０２０ｂ）。
【請求項３４】
請求項３２および請求項３３の少なくとも一方に記載のコンピュータプログラム（１０２０ａ、１０２０ｂ）と、前記コンピュータプログラムが記憶されるコンピュータ可読記憶媒体（１０３０）とを備える、コンピュータプログラム製品（１０１０ａ、１０１０ｂ）。
【発明の詳細な説明】
【技術分野】
【０００１】
本明細書で提示される実施形態は、ワイヤレスデバイスにリソースを割り当てるための方法、ネットワークノード、コンピュータプログラム、およびコンピュータプログラム製品に関する。本明細書で提示される実施形態はさらに、ネットワークノードからリソースの割当てを受信するための方法、ワイヤレスデバイス、コンピュータプログラム、およびコンピュータプログラム製品に関する。
【背景技術】
【０００２】
通信ネットワークでは、所与の通信プロトコル、そのパラメータ、ならびにその通信ネットワークが配置される物理的環境について、良好な性能および容量を得るために課題があり得る。
【０００３】
例えば、通信ネットワーク内の所与の通信プロトコルについての良好な性能および容量を実現する際の１つのパラメータは、パケットデータレイテンシである。レイテンシ尺度は、通信ネットワークのすべてのステージで、例えば、新しいソフトウェアリリースまたはシステム構成要素を検証するとき、ならびに／あるいは通信ネットワークを配置するとき、および通信ネットワークが商用運用中であるときに実施され得る。
【０００４】
前世代の３ＧＰＰ無線アクセス技術よりも短いレイテンシが、Ｌｏｎｇ  Ｔｅｒｍ  Ｅｖｏｌｕｔｉｏｎ（ＬＴＥ）の設計を導いた１つの性能メトリックであった。ＬＴＥはまた、前世代のモバイル無線技術よりも高速なインターネットへのアクセス、および低いパケットレイテンシを実現するシステムであるとエンドユーザによって認められている。
【０００５】
パケットレイテンシはまた、通信ネットワークのスループットに間接的に影響を及ぼすパラメータでもある。ハイパーテキスト転送プロトコル（ＨＴＴＰ）および／または伝送制御プロトコル（ＴＣＰ）を使用するトラフィックは現在、インターネットで使用される支配的なアプリケーション層プロトコルおよびトランスポート層プロトコルスイートの１つである。インターネットを介するＨＴＴＰベースのトランザクションの典型的なサイズは、数十キロバイトから１メガバイトの範囲内である。このサイズ範囲では、ＴＣＰスロースタート期間は、パケットストリームの全移送期間のかなりの部分を占める。ＴＣＰスロースタートの間、性能はパケットレイテンシにより制限される。したがって、パケットレイテンシの改善は、少なくともこのタイプのＴＣＰベースのデータトランザクションについて、潜在的に平均スループットを改善し得る。
【０００６】
無線リソース効率もまた、パケットレイテンシ低減によってプラスの影響を受け得る。低いパケットデータレイテンシは、一定の遅延境界内で可能な伝送数を増加させ得、したがって、データ伝送のために高いブロック誤り率（ＢＬＥＲ）目標が使用され得、無線リソースを解放し、システムの容量を潜在的に改善する。
【０００７】
アップリンク（ＵＬ（デバイスからネットワークへ））およびダウンリンク（ＤＬ（ネットワークからデバイスへ））についてのスケジューリング決定などのダウンリンク制御情報（ＤＣＩ）および電力制御コマンドを搬送するために、既存の物理層ダウンリンク制御チャネル、物理ダウンリンク制御チャネル（ＰＤＣＣＨ）、および拡張ＰＤＣＣＨ（ｅＰＤＣＣＨ）が使用される。ＰＤＣＣＨとｅＰＤＣＣＨはどちらも、１ｍｓサブフレームごとに１回送信される現在の通信ネットワークに従う。
【０００８】
３ＧＰＰ  ＴＳ  ３６．２１３  ｖ１３．１．１は、アップリンク（ＵＬ）およびダウンリンク（ＤＬ）リソース割当てについての異なる（ＤＣＩ）フォーマットの例を列挙している。ＵＬスケジューリンググラントは、ＤＣＩフォーマット０またはＤＣＩフォーマット４のどちらかを使用する。後者は、アップリンク空間多重化をサポートするために第３世代パートナーシッププロジェクト（３ＧＰＰ）リリース１０（Ｒｅｌ−１０）に追加された。
【０００９】
既存の動作の方式、例えばフレーム構造および制御シグナリングは、割り当てられる帯域幅内でのみ変化し得る、１ｍｓの固定長のサブフレーム内のデータ割当てのために設計される。具体的には、現在のＤＣＩは、サブフレーム全体の中のリソース割当てを定義し、サブフレーム当たり１回送信されるだけである。既存の動作の方式は、ショートサブフレーム、すなわち１ｍｓより短いサブフレームでＵＬおよびＤＬデータのスケジューリングがどのように実施され得るかを示さない。
【００１０】
したがって、ショートサブフレームを使用する効率的な通信が求められている。
【発明の概要】
【００１１】
本明細書の実施形態の目的は、ショートサブフレームを使用する通信のための機構を提供することである。
【００１２】
第１の態様によれば、ワイヤレスデバイスにリソースを割り当てるための方法が提示される。方法はネットワークノードによって実施される。方法は、探索スペース内の制御メッセージをワイヤレスデバイスに送信することを含み、探索スペースは、制御チャネルエレメント（ＣＣＥ）の少なくとも２つのグループを含み、ＣＣＥのグループのうちの１つが制御メッセージを含む。方法は、ワイヤレスデバイスについてのリソースを含むＣＣＥのグループのうちの少なくとも１つを示す情報をワイヤレスデバイスに送信することを含む。
【００１３】
第２の態様によれば、ワイヤレスデバイスにリソースを割り当てるためのネットワークノードが提示される。ネットワークノードは処理回路を備える。処理回路は、ネットワークノードに、探索スペース内の制御メッセージをワイヤレスデバイスに送信させるように設定され、探索スペースは、ＣＣＥの少なくとも２つのグループを含み、ＣＣＥのグループのうちの１つが制御メッセージを含む。処理回路は、ネットワークノードに、ワイヤレスデバイスについてのリソースを含むＣＣＥのグループのうちの少なくとも１つを示す情報をワイヤレスデバイスに送信させるように設定される。
【００１４】
第３の態様によれば、ワイヤレスデバイスにリソースを割り当てるためのネットワークノードが提示される。ネットワークノードは、処理回路およびコンピュータプログラム製品を備える。コンピュータプログラム製品は、処理回路によって実行されるとステップまたは動作をネットワークノードに実施させる命令を記憶する。ステップまたは動作は、ネットワークノードに、探索スペース内の制御メッセージをワイヤレスデバイスに送信させ、探索スペースは、ＣＣＥの少なくとも２つのグループを含み、ＣＣＥのグループのうちの１つが制御メッセージを含む。ステップまたは動作は、ネットワークノードに、ワイヤレスデバイスについてのリソースを含むＣＣＥのグループのうちの少なくとも１つを示す情報をワイヤレスデバイスに送信させる。
【００１５】
第４の態様によれば、ワイヤレスデバイスにリソースを割り当てるためのネットワークノードが提示される。ネットワークノードは、探索スペース内の制御メッセージをワイヤレスデバイスに送信するように設定された送信モジュールを備え、探索スペースは、ＣＣＥの少なくとも２つのグループを含み、ＣＣＥのグループのうちの１つが制御メッセージを含む。ネットワークノードは、ワイヤレスデバイスについてのリソースを含むＣＣＥのグループのうちの少なくとも１つを示す情報をワイヤレスデバイスに送信するように設定された送信モジュールを備える。
【００１６】
第５の態様によれば、ワイヤレスデバイスにリソースを割り当てるためのコンピュータプログラムが提示され、コンピュータプログラムは、ネットワークノードの処理回路上で実行されるとき、第１の態様による方法をネットワークノードに実施させるコンピュータプログラムコードを含む。
【００１７】
第６の態様によれば、ネットワークノードからリソースの割当てを受信するための方法が提示される。方法はワイヤレスデバイスによって実施される。方法は、探索スペース内の制御メッセージをネットワークノードから受信することを含み、探索スペースは、ＣＣＥの少なくとも２つのグループを含み、ＣＣＥのグループのうちの１つが制御メッセージを含む。方法は、ワイヤレスデバイスについてのリソースを含むＣＣＥのグループのうちの少なくとも１つを示す情報をネットワークノードから受信することを含む。
【００１８】
第７の態様によれば、ネットワークノードからリソースの割当てを受信するためのワイヤレスデバイスが提示される。ワイヤレスデバイスは処理回路を備える。処理回路は、ワイヤレスデバイスに、探索スペース内の制御メッセージをネットワークノードから受信させるように設定され、探索スペースは、ＣＣＥの少なくとも２つのグループを含み、ＣＣＥのグループのうちの１つが制御メッセージを含む。処理回路は、ワイヤレスデバイスに、ワイヤレスデバイスについてのリソースを含むＣＣＥのグループのうちの少なくとも１つを示す情報をネットワークノードから受信させるように設定される。
【００１９】
第８の態様によれば、ネットワークノードからリソースの割当てを受信するためのワイヤレスデバイスが提示される。ワイヤレスデバイスは、処理回路およびコンピュータプログラム製品を備える。コンピュータプログラム製品は、処理回路によって実行されるとステップまたは動作をワイヤレスデバイスに実施させる命令を記憶する。ステップまたは動作は、ワイヤレスデバイスに、探索スペース内の制御メッセージをネットワークノードから受信させ、探索スペースは、ＣＣＥの少なくとも２つのグループを含み、ＣＣＥのグループのうちの１つが制御メッセージを含む。ステップまたは動作は、ワイヤレスデバイスに、ワイヤレスデバイスについてのリソースを含むＣＣＥのグループのうちの少なくとも１つを示す情報をネットワークノードから受信させる。
【００２０】
第９の態様によれば、ネットワークノードからリソースの割当てを受信するためのワイヤレスデバイスが提示される。ワイヤレスデバイスは、探索スペース内の制御メッセージをネットワークノードから受信するように設定された受信モジュールを備え、探索スペースは、ＣＣＥの少なくとも２つのグループを含み、ＣＣＥのグループのうちの１つが制御メッセージを含む。ワイヤレスデバイスは、ワイヤレスデバイスについてのリソースを含むＣＣＥのグループのうちの少なくとも１つを示す情報をネットワークノードから受信するように設定された受信モジュールを備える。
【００２１】
第１０の態様によれば、ネットワークノードからリソースの割当てを受信するためのコンピュータプログラムが提示され、コンピュータプログラムは、ワイヤレスデバイスの処理回路上で実行されるとき、第６の態様による方法をワイヤレスデバイスに実施させるコンピュータプログラムコードを含む。
【００２２】
第１１の態様によれば、第５の態様と第１０の態様の少なくとも一方によるコンピュータプログラムと、コンピュータプログラムが記憶されるコンピュータ可読記憶媒体とを備えるコンピュータプログラム製品が提示される。コンピュータ可読記憶媒体は非一時的コンピュータ可読記憶媒体でよい。
【００２３】
有利なことに、これらの方法、これらのネットワークノード、これらのワイヤレスデバイス、およびこれらのコンピュータプログラムは、ショートサブフレームを使用する効率的な通信を実現する。
【００２４】
有利なことに、これらの方法、これらのネットワークノード、これらのワイヤレスデバイス、およびこれらのコンピュータプログラムは、いくつかの実施形態では、ワイヤレスデバイスが同じ探索スペースを別のワイヤレスデバイスと共有する必要なしに、（例えば、ショートＰＤＣＣＨ上の）未使用のリソースを利用する（例えば、ショートＰＤＳＣＨのために使用する）ことを可能にする。
【００２５】
第１、第２、第３、第４、第５、第６、第７、第８、第９、第１０、および第１１の態様の任意の特徴が、適切な場合はいつでも、任意の他の態様に適用され得ることに留意されたい。同様に、第１の態様の任意の特徴が、それぞれ第２、第３、第４、第５、第６、第７、第８、第９、第１０、および／または第１１の態様に等しく適用され得、逆も同様である。以下の詳細な開示、添付の従属請求項、ならびに図面から、開示される実施形態の他の目的、特徴、および利点が明らかとなるであろう。
【００２６】
一般に、特許請求の範囲で使用されるすべての用語は、本明細書で別段に明示的に定義されていない限り、当技術分野での通常の意味に従って解釈されるべきである。「要素、装置、構成要素、手段、ステップ（ａ／ａｎ／ｔｈｅ  ｅｌｅｍｅｎｔ，  ａｐｐａｒａｔｕｓ，  ｃｏｍｐｏｎｅｎｔ，  ｍｅａｎｓ，  ｓｔｅｐ）」などへのすべての参照は、別段に明記されていない限り、要素、装置、構成要素、手段、ステップなどの少なくとも１つの例を参照しているとオープンに解釈されるべきである。明記されていない限り、本明細書で開示される任意の方法のステップを、開示される厳密な順序で実施する必要はない。
【００２７】
これから、添付の図面を参照しながら、本発明の概念が例として説明される。
【図面の簡単な説明】
【００２８】
【図１】実施形態による通信ネットワークを示す概略図である。
【図２】実施形態による方法のフローチャートである。
【図３】実施形態による方法のフローチャートである。
【図４】実施形態による方法のフローチャートである。
【図５】実施形態による方法のフローチャートである。
【図６】実施形態による、ショートＴＴＩ内の探索スペースを概略的に示す図である。
【図７】実施形態による、ショートＴＴＩ内の探索スペースを概略的に示す図である。
【図８】実施形態による、ショートＴＴＩ内の探索スペースを概略的に示す図である。
【図９】実施形態による、ショートＴＴＩ内の探索スペースを概略的に示す図である。
【図１０】実施形態による、ショートＴＴＩ内の探索スペースを概略的に示す図である。
【図１１】実施形態による、ショートＴＴＩ内の探索スペースを概略的に示す図である。
【図１２】実施形態による、ショートＴＴＩ内の探索スペースを概略的に示す図である。
【図１３】実施形態による、ショートＴＴＩ内の探索スペースを概略的に示す図である。
【図１４】実施形態による、ショートＴＴＩ内の探索スペースを概略的に示す図である。
【図１５】実施形態による、ショートＴＴＩ内の探索スペースを概略的に示す図である。
【図１６】実施形態による、ショートＴＴＩ内の探索スペースを概略的に示す図である。
【図１７】一実施形態による、ネットワークノードの機能単位を示す概略図である。
【図１８】一実施形態による、ネットワークノードの機能モジュールを示す概略図である。
【図１９】一実施形態による、ワイヤレスデバイスの機能単位を示す概略図である。
【図２０】一実施形態による、ワイヤレスデバイスの機能モジュールを示す概略図である。
【図２１】一実施形態による、コンピュータ可読手段を備えるコンピュータプログラム製品の一例を示す図である。
【発明を実施するための形態】
【００２９】
本発明の概念のいくつかの実施形態が示される添付の図面を参照しながら、本発明の概念が以下でより完全に説明される。しかしながら、この本発明の概念は、多くの異なる形態で実施され得、本明細書で説明される実施形態に限定されると解釈されるべきではなく、むしろ、これらの実施形態は、本開示が徹底的かつ完全なものとなり、本発明の概念の範囲を当業者に完全に伝達するように、例として提供される。説明全体にわたって、同様の番号は同様の要素を指す。破線で示されるステップまたは特徴は任意選択と見なされるべきである。
【００３０】
図１は、本明細書で提示される実施形態が適用され得る通信ネットワーク１００を示す概略図である。通信ネットワーク１００は少なくとも１つのネットワークノード２００を備える。ネットワークノード２００の機能、ならびにネットワークノード２００が通信ネットワーク１００内の他のエンティティ、ノード、およびデバイスとどのように対話するかが、以下でさらに開示される。
【００３１】
通信ネットワーク１００は少なくとも１つの無線アクセスネットワークノード１４０をさらに備える。少なくとも１つの無線アクセスネットワークノード１４０は無線アクセスネットワーク１１０の部分であり、コアネットワーク１２０に動作可能に接続され、コアネットワーク１２０は、サービスネットワーク１３０に動作可能に接続される。少なくとも１つの無線アクセスネットワークノード１４０は、無線アクセスネットワーク１１０内のネットワークアクセスを提供する。それによって、少なくとも１つの無線アクセスネットワークノード１４０によってサービスされるワイヤレスデバイス３００ａ、３００ｂは、サービスにアクセスし、コアネットワーク１２０およびサービスネットワーク１３０とデータを交換するように動作可能にされる。
【００３２】
ワイヤレスデバイス３００ａ、３００ｂの例には、限定はしないが、移動局、携帯電話、ハンドセット、ワイヤレスローカルループフォン、ユーザ機器（ＵＥ）、スマートフォン、ラップトップコンピュータ、タブレットコンピュータ、ネットワーク搭載センサ、ワイヤレスモデム、モノのインターネットデバイスが含まれる。無線アクセスネットワークノード１２０の例には、限定はしないが、無線基地局、送受信基地局、ＮｏｄｅＢ、エボルブドＮｏｄｅＢ、アクセスポイント、およびアクセスノードが含まれる。当業者は理解するように、通信ネットワーク１００は、複数のワイヤレスデバイス３００ａ、３００ｂへのネットワークアクセスをそれぞれ提供する複数の無線アクセスネットワークノード１２０を備え得る。本明細書で開示される実施形態は、何らかの特定の数のネットワークノード２００、無線アクセスネットワークノード１２０、またはワイヤレスデバイス３００ａ、３００ｂに限定されない。
【００３３】
ワイヤレスデバイス３００ａ、３００ｂは、サービスにアクセスし、無線アクセスネットワークノード１４０を介してパケット内のデータをコアネットワーク１２０およびサービスネットワーク１３０に送信し、コアネットワーク１２０およびサービスネットワーク１３０からパケットのデータを受信することによってコアネットワーク１２０およびサービスネットワーク１３０とデータを交換する。
【００３４】
上記では、パケットレイテンシが、ネットワーク性能を低下させるものとして識別された。パケットレイテンシの削減に関して対処するエリアの１つは、送信時間間隔（ＴＴＩ）の長さに対処することによる、データおよび制御シグナリングの移送時間の削減である。ＬＴＥ  ｒｅｌｅａｓｅ  ８では、ＴＴＩは長さ１ミリ秒の１つのサブフレーム（ＳＦ）に対応する。そのような１つの１ｍｓ  ＴＴＩは、通常のサイクリックプレフィックスのケースでは１４個のＯＦＤＭまたはＳＣ−ＦＤＭＡシンボルを、拡張サイクリックプレフィックスのケースでは１２個のＯＦＤＭまたはＳＣ−ＦＤＭＡＳＣを使用することによって構築される。
【００３５】
本明細書で開示される実施形態は、ワイヤレスデバイス３００ａにリソースを割り当てるための機構に関する。そのような機構を得るために、ネットワークノード２００、ネットワークノード２００によって実施される方法、ネットワークノード２００の処理回路上で実行されるとき、ネットワークノード２００に方法を実施させる、例えばコンピュータプログラムの形態のコードを含むコンピュータプログラム製品が提供される。
【００３６】
本明細書で開示される実施形態はさらに、ネットワークノード２００からリソースの割当てを受信するための機構に関する。そのような機構を得るために、ワイヤレスデバイス３００ａ、３００ｂ、ワイヤレスデバイス３００ａ、３００ｂによって実施される方法、およびワイヤレスデバイス３００ａ、３００ｂの処理回路上で実行されるとき、ワイヤレスデバイス３００ａ、３００ｂに方法を実施させる、例えばコンピュータプログラムの形態のコードを含むコンピュータプログラム製品がさらに提供される。
【００３７】
本明細書で開示される実施形態によれば、（示されるショートサブフレーム未満の）短縮サブフレームを導入することによってＴＴＩが短縮される。ショートＴＴＩを用いて、サブフレームが、任意の持続時間を有するように決定され、１ｍｓサブフレーム内のいくつかのＯＦＤＭまたはＳＣ−ＦＤＭＡシンボル上にリソースを含み得る。一例として、ショートサブフレームの持続時間は、０．５ｍｓ、すなわち通常のサイクリックプレフィックスのケースでは７つのＯＦＤＭシンボルまたはＳＣ−ＦＤＭＡシンボルでよい。
【００３８】
前述のように、レイテンシを削減するための一方式は、送信時間間隔（ＴＴＩ）を削減するものであり、その場合、１ｍｓの持続時間を有するリソースを割り当てる代わりに、いくつかのＯＦＤＭシンボルまたはＳＣ−ＦＤＭＡシンボルなどの、より短い持続時間を有するリソースを割り当てる必要がある。これは、そのような短いスケジューリング割当ての指示を可能にする、デバイス特有の制御シグナリングの必要を示唆する。
【００３９】
１ｍｓ  ＴＴＩを用いるスケジューリングを使用して、ワイヤレスデバイス３００ａ、３００ｂには、例えば使用されるリソースブロックを識別するＤＣＩフィールド内のビットマップに基づいて、周波数リソースが割り当てられる。ＴＴＩ長が短縮されると、割当てがサブフレームごとに数回指定される場合にはシグナリングオーバヘッドが増大し得る。そのようなショートＴＴＩごとに単一のワイヤレスデバイス３００ａ、３００ｂだけに対するグラントを有することは、オーバヘッドを制限することになる。いくつかのワイヤレスデバイス３００ａ、３００ｂの間でショートＴＴＩ内の周波数リソースを共有すると共に、制御オーバヘッドの量を制限することがさらに有益であり得る。
【００４０】
ワイヤレスデバイス３００ａ、３００ｂは、グループショートＴＴＩ無線ネットワーク一時識別子（ＲＮＴＩ）が割り当てられることによって、ショートＴＴＩ動作のために設定され得る。次いでワイヤレスデバイス３００ａ、３００ｂは、ショートＴＴＩ  ＲＮＴＩと共にスクランブリングされる低速グラント（低速ダウンリンク制御情報（ＤＣＩ）メッセージを含む）を求めてＰＤＣＣＨの共通探索スペース（ＣＳＳ）を探索し得る。この低速グラントは、ショートＴＴＩ動作のために使用されるダウンリンク（ＤＬ）およびアップリンク（ＵＬ）ショートＴＴＩ周波数帯のための周波数割当てを含む。そのような低速グラントを復号化した後、ワイヤレスデバイス３００ａ、３００ｂはショートＴＴＩ動作となり、その探索スペースを、やはり低速グラントによって定義される帯域内制御チャネルに拡張し得る。
【００４１】
ＤＣＩメッセージが、ＤＬサブフレームのＰＤＣＣＨ領域内のいくつかの制御チャネルエレメント（ＣＣＥ）上に符号化される。ワイヤレスデバイス３００ａ、３００ｂは、異なるＣＣＥアグリゲーションレベル（ＡＬ）についてＰＤＣＣＨ内のＣＳＳとデバイス特有の探索スペース（ＵＳＳ、ただしＵはユーザ機器と同様にＵＥの略である）の両方の中を探索する。ＬＴＥでの異なるサイズのＰＤＣＣＨ候補数が、３ＧＰＰ  ＴＳ  ３６．２１３  ｖ１３．１．１のＴａｂｌｅ  ９．１．１−１で提供されている。この表によれば、ワイヤレスデバイス３００ａ、３００ｂによって監視すべき２２個のＰＤＣＣＨ候補があり、各伝送モードについて定義された２つの異なるＤＣＩサイズと共に、ワイヤレスデバイス３００ａ、３００ｂがブラインド復号化を試みなければならない合計４４個の可能性がある。
【００４２】
レガシーＬＴＥでは、ワイヤレスデバイス３００ａ、３００ｂは、ＰＤＣＣＨについて事前定義されたＵＳＳを監視する。（示されるショートＰＤＣＣＨ未満の）新しい帯域内制御チャネルの導入と共に、ブラインド復号化試行数は、ショートＴＴＩ動作でのワイヤレスデバイス３００ａ、３００ｂについて増加することになる。同時に、このワイヤレスデバイス３００ａ、３００ｂは、任意のレガシーＴＴＩ  ＵＬグラントまたはＤＬ割当てについてＵＳＳを必要とする。
【００４３】
ショートＴＴＩ（ｓＴＴＩ）という用語は、ショートサブフレームのＴＴＩを示すために使用される。ショートサブフレームは、１ｍｓ未満の持続時間を有し得る。ショートＴＴＩは、（１ｍｓごとに１回送信される）２つの連続するＰＤＣＣＨ送信間の間隔未満であると定義され得る。したがって、レイテンシ削減を達成するために、ネットワークノード２００は、ショートＴＴＩレベルなどで、ショート時間フレーム上のデータをスケジューリングするように設定され得る。
【００４４】
ダウンリンクでのより短いＴＴＩの導入と共にＴＴＩが小さくなるとき、制御チャネルは、リソースの大きな割合を占有する。制御チャネルのオーバヘッドを削減する結果、ショートＴＴＩが使用されるときに性能が向上し得る。本明細書で開示される実施形態は、未使用ＣＣＥを示すためのデバイス３００ａ、３００ｂのシグナリングが最小限に抑えられるように、ワイヤレスデバイス３００ａ、３００ｂにわたって利用可能な全探索スペースを構築することによって制御チャネルのオーバヘッドの効率的な最小化を可能にする。これは、ＣＣＥグループと、特定のＣＣＥグループが利用されるか否かを示すための関連するシグナリングの導入によって達成される。
【００４５】
図２および図３は、ネットワークノード２００によって実施される、ワイヤレスデバイス３００ａにリソースを割り当てるための方法の実施形態を示す流れ図である。図４および図５は、ワイヤレスデバイス３００ａ、３００ｂによって実施される、ネットワークノード２００からリソースの割当てを受信するための方法の実施形態を示す流れ図である。有利には、方法は、コンピュータプログラム１０２０ａ、１０２０ｂ（以下参照）として提供される。
【００４６】
次に、一実施形態による、ネットワークノード２００によって実施される、ワイヤレスデバイス３００ａにリソースを割り当てるための方法を示す図２が参照される。
【００４７】
Ｓ１０４：ネットワークノード２００が、探索スペース内の制御メッセージをワイヤレスデバイス３００ａに送信する。探索スペースは、ＣＣＥの少なくとも２つのグループを含む。ＣＣＥのグループのうちの１つが制御メッセージを含む。
【００４８】
Ｓ１０６：ネットワークノード２００は、ＣＣＥのグループのうちの少なくとも１つがワイヤレスデバイス３００ａについてのリソースを含むことを示す情報をワイヤレスデバイス３００ａに送信する。
【００４９】
次に、ワイヤレスデバイス３００ａにリソースを割り当てることのさらなる詳細に関する実施形態が開示される。
【００５０】
次に、別の実施形態による、ネットワークノード２００によって実施される、ワイヤレスデバイス３００ａにリソースを割り当てるための方法を示す図３が参照される。図２を参照しながら開示されたステップＳ１０４、Ｓ１０６が実施されると仮定され、したがってこれらのステップの繰返しの説明は省略される。方法の特徴は、任意の順序で実施され得る。
【００５１】
一実施形態によれば、ネットワークノード２００は、ワイヤレスデバイス３００ａをＣＣＥのサイズと共に設定する。したがって、一実施形態によれば、ネットワークノード２００は、ステップＳ１０２を実施するように設定される。
【００５２】
Ｓ１０２：ネットワークノード２００は、ＣＣＥの各グループのサイズを示す設定情報を送信する。設定情報は、無線リソース制御（ＲＲＣ）シグナリング、または物理ダウンリンク制御チャネル（ＰＤＣＣＨ）で送信され得る。
【００５３】
サイズがＰＤＣＣＨでセットされる場合、ネットワークノード２００によってサービスされる既知の数のアクティブなワイヤレスデバイス３００ａ、３００ｂと、その必要とされるアグリゲーションレベル（ＡＬ）とに従ってサイズが決定され得る。特に、比較的少ないワイヤレスデバイス３００ａ、３００ｂがある場合、所与のＡＬについてより少ない位置を含むようにショートＰＤＣＣＨ領域が削減され得る。この手法の代替は、ＣＣＥのグループのサイズが仕様に従って固定されることである。ＣＣＥの各グループは、ショートＰＤＣＣＨ領域に対応し得る。
【００５４】
次に、一実施形態による、ワイヤレスデバイス３００ａ、３００ｂによって実施される、ネットワークノード２００からリソースの割当てを受信するための方法を示す図４が参照される。
【００５５】
上記で開示されたように、ステップＳ１０４でのネットワークノード２００は、ワイヤレスデバイス３００ａに制御メッセージを送信する。ワイヤレスデバイス３００ａがこの制御メッセージを受信すると仮定される。したがって、ワイヤレスデバイス３００ａ、３００ｂは、ステップＳ２０６を実施するように設定される。
【００５６】
Ｓ２０６：ワイヤレスデバイス３００ａは、探索スペース内の制御メッセージをネットワークノード２００から受信する。探索スペースは、ＣＣＥの少なくとも２つのグループを含む。ＣＣＥのグループのうちの１つが制御メッセージを含む。
【００５７】
上記で開示されたように、ネットワークノード２００は、ステップＳ１０６で、ワイヤレスデバイス３００ａに情報を送信する。ワイヤレスデバイス３００ａはこの情報を受信すると仮定される。したがって、ワイヤレスデバイス３００ａ、３００ｂは、ステップＳ２０８を実施するように設定される。
【００５８】
Ｓ２０８：ワイヤレスデバイス３００ａは、ネットワークノード２００から情報を受信し、情報は、ＣＣＥのグループのうちの少なくとも１つがワイヤレスデバイス３００ａ、３００ｂについてのリソースを含むことを示す。例えば、情報は、グループのうちのどれがワイヤレスデバイスについてのリソースを含むかをワイヤレスデバイスに示す。ワイヤレスデバイスは、受信した指示から、リソースを含むグループ（例えば、関連する制御メッセージまたはデータメッセージを含むグループ）を決定する。ＣＣＥのグループの決定は、（例えば、制御メッセージまたはデータを含む）ワイヤレスデバイスについてのリソースをワイヤレスデバイスが効率的に見つける（すなわち、復号化する）ことを実現する。
【００５９】
次に、別の実施形態による、ワイヤレスデバイス３００ａ、３００ｂによって実施される、ネットワークノード２００からリソースの割当てを受信するための方法を示す図５が参照される。図４を参照しながら開示されたステップＳ２０６、Ｓ２０８が実施されると仮定され、したがってこれらのステップの繰返しの説明は省略される。
【００６０】
上記で開示されたように、一実施形態でのネットワークノード２００はワイヤレスデバイス３００ａを設定する。したがって、一実施形態によれば、ワイヤレスデバイス３００ａ、３００ｂは、ステップＳ２０２を実施するように設定される。
【００６１】
Ｓ２０２：ワイヤレスデバイス３００ａ、３００ｂは、ＣＣＥの各グループのサイズを示す設定情報を受信する。上記で開示されたように、設定情報は、ＲＲＣシグナリングで、またはＰＤＣＣＨで受信され得る。
【００６２】
さらに、ワイヤレスデバイス３００ａ、３００ｂは別の情報を受信し得、したがって一実施形態によれば、ワイヤレスデバイス３００ａ、３００ｂは、ステップＳ２０４を実施するように設定される。
【００６３】
Ｓ２０４：ワイヤレスデバイス３００ａ、３００ｂは、例えばＣＣＥのグループ内のリソースの開始位置を示す、設定情報を受信する。
【００６４】
次に、ネットワークノード２００によって実施される、ワイヤレスデバイス３００ａにリソースを割り当てること、およびワイヤレスデバイス３００ａ、３００ｂによって実施される、ネットワークノード２００からリソースの割当てを受信することのさらなる詳細に関する実施形態が開示される。
【００６５】
ＣＣＥのいくつかのグループが定義され得る。そのようなグループはそれぞれ、ＡＬごとに少なくとも１つの位置を含む。いくつかのＡＬについて、１つの位置が再利用され得る。したがって、ＣＣＥグループは、最大アグリゲーションレベルのための十分なリソースを含む。
【００６６】
図６はＣＣＥグループの概念を示す。ＣＣＥグループは、複数の可能なアグリゲーションレベルのうちの１つを含むメッセージを含み得る。ＣＣＥグループは、ワイヤレスデバイスおよび無線アクセスネットワーク１１０への／からの制御またはデータメッセージのために使用され得るＣＣＥリソース（例えば、物理リソース）である。ＣＣＥグループは、すべての複数の異なるアグリゲーションレベルを含む、異なるメッセージを含まないが、各メッセージがアグリゲーションレベルを有する１つまたは複数のメッセージ（例えば、制御メッセージ）を含み得る。リソースの残り（斜線のメッセージの右側のスペースとして示されている）は、制御メッセージによって使用されていない。例えば、ＣＣＥグループのＡＬ２が制御メッセージ（例えば、高速ＤＣＩ）を送るために使用される場合、このＣＣＥグループ内で、いくつかのリソースは未使用のままとなる。その代わりにＡＬ４が使用される場合、ＣＣＥグループのすべてのリソースが使用される。以下では、データ送信のために未使用のリソースをどのように活用するかが実証される。ＣＣＥグループはＡＬ４まで定義されるが、本明細書で開示される実施形態は、任意のＡＬ、例えばＡＬ８または１６までＣＣＥグループを拡張することを可能にする。最大ＡＬはまた、ＡＬ２までサイズが縮小され得る。
【００６７】
制御チャネル（例えば、ＰＤＣＣＨ）のリソースで複数のＣＣＥグループが定義される。ＣＣＥグループは、最大アグリゲーションレベルまでメッセージ（例えば、制御メッセージ）を収容し得るリソース（すなわちＣＣＥまたは物理層リソース）のグループと見なされ得る。あるいは、ＣＣＥグループは、より小さいアグリゲーションレベルの１つまたは複数のメッセージ（例えば、制御メッセージ）を収容し得る。いくつかの例では、異なるアグリゲーションレベルについてのメッセージ（例えば、制御メッセージ）は同じ位置で始まり、すなわち位置はアグリゲーションレベルとは無関係である。
【００６８】
ＣＣＥを個々のリソースエレメントにマッピングする複数の方式がある。１つの方式は、制御チャネル（例えば、ＰＤＣＣＨ）からであるが、ショートＴＴＩ帯域幅内に含まれるマッピングを再利用することである。別の方式は、ＰＲＢの限定されたセット内に割り当てられ、割り当てられた周波数帯域幅全体にわたって拡散しないＲＥＧにＣＣＥを割り当てることである。そのような割当ての一例がＥＰＤＣＣＨである。しかしながら、ショートＴＴＩ動作では、ショートＰＤＣＣＨの周波数をＥＰＤＣＣＨよりも拡散することが有益であり得、ショートＴＴＩ内の同じ周波数リソース上のショートＰＤＳＣＨを可能にすることも有益であり得る。しかしながら、ショートＰＤＣＣＨ割当ては、それがＰＲＢの限定されたセットに割り当てられるだけであり、大きい周波数帯域幅にわたってランダム化されないという意味で、依然として局所化されたままになり得る。
【００６９】
一実施形態によれば、ワイヤレスデバイス３００ａ、３００ｂ、およびネットワークノード２００は、ＣＣＥグループ内のすべてのアグリゲーションレベルのメッセージについての単一の開始位置を使用する。したがって、異なるＡＬを有するメッセージは、特定のＣＣＥグループについて、探索スペース内の同じ位置で始まる。このケースでは、探索スペースは、すべてのワイヤレスデバイス３００ａ、３００ｂに対して共通である。
【００７０】
図７は、本実施形態の制御チャネル（例えばショートＰＤＣＣＨ）探索スペースの一例を与える。探索スペースは、３つの可能なＡＬを有するメッセージをそれぞれ含む、４つのＣＣＥグループを含む。ＣＣＥグループがそれぞれ次々に取り出される（例えば、時間領域内で分散する）としても、その物理リソースは周波数領域にわたって分散され得る（すなわち、ｎが整数である場合、ＣＣＥグループｎとＣＣＥグループｎ＋１のリソースの間にはギャップがあり得る）。
【００７１】
制御メッセージ（例えばショートＰＤＣＣＨ）を検出するために、ワイヤレスデバイス３００ａ、３００ｂは、すべてのＡＬについてすべてのＣＣＥグループをテストし得る。あるいは、テストするＡＬの削減されたセットについての情報をネットワークノード２００がワイヤレスデバイス３００ａ、３００ｂにシグナリングした場合、ワイヤレスデバイス３００ａ、３００ｂは、各ＣＣＥグループ内のＡＬの一部のみをテストし得る。あるいは、ネットワークノード２００がこれをワイヤレスデバイス３００ａ、３００ｂにシグナリングする場合、ワイヤレスデバイス３００ａ、３００ｂは、ＣＣＥグループの一部のみの中のすべてのＡＬをテストし得る。これは、探索スペースが複数のワイヤレスデバイス３００ａ、３００ｂに対して共通であるとしても、ネットワークノード２００は、デバイスごとに探索スペースを削減し得ることを意味する。
【００７２】
リソース使用最適化：前述のように、高速ＤＣＩのために低いＡＬが使用される場合、ＣＣＥグループのいくつかのリソースは未使用のままとなる。一実施形態では、ワイヤレスデバイス３００ａ、３００ｂは、その制御メッセージ（例えば、そのワイヤレスデバイス３００ａに特有の制御メッセージ、例えば高速ＤＣＩ）が低いＡＬ（すなわち、最大のＡＬ未満）と共に送られたＣＣＥグループ内の未使用のリソースが、自身のデータメッセージまたは割当て（例えば、ショートＰＤＳＣＨ）のために使用されることを決定し得る。例えば、ＡＬ２が高速ＤＣＩのために使用され、ＣＣＥグループが４つのＣＣＥを含む場合、２つの残りのＣＣＥが、ワイヤレスデバイス３００ａ、３００ｂショートＰＤＳＣＨ  ＲＥのために使用され得る。
【００７３】
ショートＰＤＳＣＨのために使用されるリソースは、例えば、自身のＣＣＥグループ内で利用可能なすべてのリソース、またはショートＰＤＳＣＨが割り当てられているのと同じ周波数割当てにマッピングされるリソースでよい。未使用のショートＰＤＣＣＨリソースをさらに最適化するために、ｘ−１ビットのビットマップが、デバイス特有の制御メッセージ（例えば、高速ＤＣＩ）内でワイヤレスデバイス３００ａ、３００ｂにシグナリングされ得、ただしｘは、ショートＰＤＣＣＨ探索スペース内のＣＣＥグループ数である。ビットマップは、ワイヤレスデバイスについてのリソースを示すためにワイヤレスデバイスに送信される情報の一例である。そのようなビットマップは、ワイヤレスデバイス３００ａ、３００ｂに、他のＣＣＥグループ内のリソースを自身のデータリソースとして、例えばダウンリンクデータ割当て（例えば、ショートＰＤＳＣＨ）のために使用できることを通知し得る。
【００７４】
図８は、４つのＣＣＥグループの探索スペースを有する一例を概略的に示す。制御メッセージ（例えば、高速ＤＣＩ）は、ＵＥ１と示される第１のワイヤレスデバイスのためのＣＣＥグループ３で受信される。ＵＥ１は、高速ＤＣＩによって占有されないＣＣＥグループ３内の残りのリソースがＵＥ１についてのショートデータ（例えばＰＤＳＣＨ）のために使用されることを決定するように設定され得る。ＵＥ１は、何らかの別のシグナリングを受信することなくこの決定を行うように設定され得る。復号化制御メッセージ（例えば高速ＤＣＩ）は、値１１１を有するビットマップを含み得る。次いでワイヤレスデバイス３００ａ、３００ｂは、ＣＣＥグループ１、２、および４内のリソースがそのデータ（例えば、ショートＰＤＳＣＨ）のために使用されることを決定し得る。ビットマップを使用すること以外の、情報を示す他の方式または方法が、同じＣＣＥグループまたは異なるＣＣＥグループ内のリソースを使用するための情報をワイヤレスデバイス３００ａ、３００ｂにシグナリングするために使用され得る。
【００７５】
上記の例では、リソース使用は、ショートＰＤＳＣＨのためにグループの未使用のリソース（空きのＣＣＥ）を使用して、ダウンリンクデータ送信のための容量を増大させることによって最適化される。ダウンリンクデータ送信（例えば、ショートＰＤＳＣＨ）のために空きのＣＣＥを使用することはまた、これらのＣＣＥに電力を割り当てることが必要であることも示し、これは、ショートＰＤＣＣＨ送信をさらに改善するためにショートＰＤＣＣＨ上で電力増強を実施することができないことを示唆し得る。したがって、データ送信のための容量を増大させ、またはショートＰＤＣＣＨ送信を改善するために、空きのＣＣＥをどのように使用するかに関する兼ね合いがある。空きのＣＣＥはまた、協調セル間干渉に対しても使用され得る。
【００７６】
上記の例では、ネットワークノード２００は、ショートＴＴＩ（例えば、ショートＰＤＣＣＨ）で動作するために制御チャネル上に単一のワイヤレスデバイス３００ａ、３００ｂをスケジューリングしているだけであった。しかしながら、制御チャネル領域（例えばショートＰＤＣＣＨ領域）内のダウンリンクデータ送信、例えばショートＰＤＳＣＨのために使用されるリソースは、例えば、フリーであると示されるすべての利用可能なリソース、またはデータチャネル（例えばショートＰＤＳＣＨ）が割り当てられる同じ周波数割当てにマッピングされ、やはりフリーであると示されるリソースでよい。
【００７７】
図９は、例えばｓＴＴＩ動作（例えば、ショートＰＤＣＣＨおよびショートＰＤＳＣＨ割当て）で動作しているときの、制御およびデータチャネル割当ての一例を示す。図９（ａ）は、データチャネルと同じ周波数割当てにマッピングされるリソース上のデータの使用を示す。図９（ｂ）は、ショートＴＴＩ動作において、制御チャネルのデータチャネルと未使用のリソースの両方の中でデータのためにフリーであると示されるすべてのリソース（すなわち、利用可能なリソース）のワイヤレスデバイスによる使用を示す。
【００７８】
ショートＰＤＣＣＨへの参照は、制御チャネルの一例と見なされ得、ショートＰＤＳＣＨへの参照は、ショートＴＴＩ動作での、データチャネル、ダウンリンクデータチャネル、またはダウンリンクデータ送信の一例と見なされ得る。ショートとは、ショートＴＴＩ（１サブフレーム未満または１ｍｓ未満）を伴う動作を指す。高速ＤＣＩへの参照は、特定のワイヤレスデバイスに特有の制御メッセージの一例と見なされ得る。低速ＤＣＩは、複数のワイヤレスデバイスに共通であり、かつ／またはショートＴＴＩオペレーションのために使用される周波数帯上で情報を提供する制御メッセージの一例と見なされ得る。
【００７９】
図９では、ショートＰＤＣＣＨ探索スペースは、それぞれ４つのＣＣＥの４つのＣＣＥグループからなる。ｓＰＤＣＣＨ探索スペースと示される各ボックスはＣＣＥを示し、１６個のボックス（ＣＣＥ）のグリッドは、制御情報を含む制御チャネル探索スペースである。探索スペースは、周波数領域および時間領域内に延びる。この例では、ワイヤレスデバイス３００ａ（ＵＥ１）はＣＣＥグループ３のＡＬ２を使用し、したがってグループ３の２つのＣＣＥが、ＵＥ１のダウンリンク高速ＤＣＩによって占有される。これらのＣＣＥは、点々の付いたボックスで表され、ワイヤレスデバイス３００ａおよびネットワークノード２００にとって既知であるマッピング機能に従って、ｓＰＤＣＣＨ時間周波数領域全体にわたって分散する。
【００８０】
ショートＰＤＣＣＨで送られるワイヤレスデバイス３００ａのダウンリンク高速ＤＣＩは、図９（ａ）の斜線の領域で識別されるワイヤレスデバイス３００ａについてのショートＰＤＳＣＨ割当てを示す。値１１１を有する高速ＤＣＩ内のビットマップと共に、ワイヤレスデバイス３００ａは、ショートＰＤＣＣＨ探索スペースのすべての未占有リソースを使用し得る。第１のケースでは、ワイヤレスデバイス３００ａについてのショートＰＤＳＣＨ周波数割当てはショートＰＤＣＣＨ探索スペース全体をカバーしないので、ワイヤレスデバイス３００ａは、フリーとシグナリングされたショートＰＤＣＣＨリソースと重複する、割り当てられた周波数リソースのみが、そのショートＰＤＳＣＨのために使用されると想定し得る。
【００８１】
図９（ａ）では、斜線の領域と重複し、ビットマップ内でフリーとシグナリングされるショートＰＤＣＣＨリソースのみが、ショートＰＤＳＣＨ、すなわちデータのために使用される。第２のケースでは、ワイヤレスデバイス３００ａは、ショートＰＤＳＣＨ周波数割当てが、ビットマップ内でフリーとシグナリングされるショートＰＤＣＣＨリソースと共に拡張される（例えば、周波数が拡張される）ことを仮定する。この結果、図９（ｂ）に示される斜線の領域となる。ネットワークノード２００からのスケジューリングに基づいて、第１のケースを使用して図９（ｂ）の斜線の領域を達成することは可能である。次いで、ネットワークノード２００は、ｓＴＴＩの第１のいくつかのシンボル内のショートＰＤＣＣＨ領域と完全に重複するようにショートＰＤＳＣＨを確実にスケジューリングしなければならない。
【００８２】
この実施形態は、ダウンリンクでのワイヤレスデバイス３００ａ、３００ｂが（ダウンリンクデータ送信のための高速ＤＣＩメッセージによって）スケジューリングされるケースでは、ショートＰＤＣＣＨ探索スペース内のショートＰＤＣＣＨによって未使用のままにされたデータリソースにとって効率的である。
【００８３】
図１０は、高速ＤＣＩが、ＵＥ２と示されるワイヤレスデバイスについてのＣＣＥグループ１内や、ＵＥ３と示されるワイヤレスデバイスについてのＣＣＥグループ２内などで、アップリンクデータ送信のためのグラントを含むシナリオを示す。ＣＣＥグループ１およびグループ２内の空きのままにされたリソースは、アップリンクトラフィックを有し、ダウンリンクトラフィックを有さないので、ＵＥ２およびＵＥ３によって活用することはできない。ｘ−１ビットのビットマップがシグナリングのために使用される場合、ダウンリンクトラフィックを有する、ＵＥ１と示されるワイヤレスデバイスに、ＣＣＥグループ１およびＣＣＥグループ２を空きとシグナリングすることはできない。
【００８４】
この問題を回避するために、より多くの情報がワイヤレスデバイス３００ａ、３００ｂに提供され得、例えばより多くのビットがビットマップに追加され得る。リソース使用を完全に最適化するために、ビットマップ（ｚ−１）・ｎビットのビットマップが必要とされ得、ただしｚはＣＣＥグループ数であり、ｎは、２ｎがサポートされるＡＬ数以上となるような最小の値である。
【００８５】
図６で定義されるＣＣＥグループを考えると、ビットマップテーブルは、表１のように、このグループ内のｓＰＤＣＣＨについてのＣＣＥの使用を示すように定義され得る。表１に基づいて、「１０１０１１」のビットマップをＵＥ１にシグナリングすることによって、ＣＣＥグループ１およびＣＣＥグループ２内の空きのＣＣＥが、ＵＥ１によってダウンリンクデータ送信のためにも使用され得る。
2019521566.tif 000003
【００８６】
一実施形態によれば、いくつかの開始位置が、ＣＣＥグループごとにＡＬのうちの少なくともいくつかについて定義される。例えば、比較的低いＡＬが、定義された制御メッセージについての複数の開始位置を有する。図１１は、各ＣＣＥグループについてＡＬ１およびＡＬ２についての２つの可能な開始位置を有する一例を示す。この例では、第２の開始位置が、複数のアグリゲーションレベル（例えばＡＬ１およびＡＬ２）について同じである。
【００８７】
この実施形態によれば、アクティブなワイヤレスデバイス３００ａ、３００ｂが、重複しない開始位置と共に設定される。例えば、各ＣＣＥグループ内で、第１のワイヤレスデバイス３００ａは位置１と共に設定され得、第２のワイヤレスデバイス３００ｂは位置２と共に設定され得る。ＡＬ４が最大の利用可能なＡＬであると仮定して、ＡＬ４についての同じ位置が、ワイヤレスデバイス３００ａ、３００ｂの両方について使用される。これが図１１に示されている。どの位置を使用するかの設定は、上位層シグナリングを使用して（例えば、ＲＲＣを介して）、またはＰＤＣＣＨ（例えば、低速ＤＣＩメッセージを使用して）を介してシグナリングされ得る。所与の時刻のアクティブなワイヤレスデバイス３００ａ、３００ｂに基づいて位置１および２の使用を更新するために、設定はＰＤＣＣＨを介してシグナリングされ得る。
【００８８】
図１１に表されるすべての位置は、共通探索スペースの部分である。すべてのワイヤレスデバイス３００ａ、３００ｂは、すべての位置の存在を認識しているが、所与の時刻で、すべてのワイヤレスデバイス３００ａ、３００ｂは、制御メッセージについての位置のうちのただ１つ、またはサブセットのみ、例えば「位置１」または「位置２」のみをテストするように設定される。複数のワイヤレスデバイス３００ａ、３００ｂが、「位置１」を監視するようにも設定され得る。例えば、１つのワイヤレスデバイス３００ａについてのダウンリンク割当てが、ＣＣＥグループ３の位置１を使用してシグナリングされ得、別のワイヤレスデバイス３００ｂについてのダウンリンク割当てが、ＣＣＥグループ４の位置１を使用してシグナリングされ得る。これらのワイヤレスデバイス３００ａ、３００ｂの両方が、その割当てを見つけるためにすべてのＣＣＥグループ内のすべての位置１をテストする必要があることになる（ネットワークノード２００が削減されたセットについて通知するのでない限り）。ワイヤレスデバイスは、別の受信されたメッセージに基づいて、または所定の値を使用して、シグナリングによってＣＣＥグループ内の位置を決定するように設定される。
【００８９】
リソース使用最適化：上記の実施形態と同様に、他のＣＣＥグループの、そのショートＰＤＳＣＨについての使用について通知するために、情報（例えば、ビットマップ）がワイヤレスデバイス３００ａ、３００ｂにシグナリングされ得る。本実施形態では、ビットマップはまた、ワイヤレスデバイス３００ａ、３００ｂについての高速ＤＣＩメッセージのために使用されるＣＣＥグループについての別の情報（例えば、追加の）ビットをも含み得る。次いで、この追加のビットは、高速ＤＣＩが復号化されたＣＣＥグループの残りのリソースが、そのショートＰＤＳＣＨのために使用されることを示す。
【００９０】
図１２は、４つのＣＣＥグループ、ＵＥ１と示されるワイヤレスデバイスがＣＣＥグループ３内でその高速ＤＣＩメッセージを受信していること、および高速ＤＣＩメッセージが値１１００を有するビットマップを含むことを仮定する一例を与える。前述のように、ビットマップを使用する以外の何らかの方式が、同じＣＣＥグループまたは異なるＣＣＥグループ内のリソースを使用するための情報をワイヤレスデバイス３００ａ、３００ｂにシグナリングするために使用され得る。したがって、ＵＥ１と示されるワイヤレスデバイスは、ＣＣＥグループ１および２内のリソースがそのショートＰＤＳＣＨのために使用されると共に、ＣＣＥグループ３および４内のリソースは使用されないことを仮定すべきである。ＵＥ１に高速ＤＣＩメッセージを送るために使用されるＣＣＥグループ３内の残りのリソースは、異なるワイヤレスデバイスに高速ＤＣＩメッセージを送るために使用される。ＵＥ２と示されるワイヤレスデバイスは、ＣＣＥグループ３内でその高速ＤＣＩを受信しており、その高速ＤＣＩは、値０００１を有するビットマップを含む。
【００９１】
上記の例では、ネットワークノード２００は、ショートＰＤＣＣＨ上に単一のワイヤレスデバイス３００ａ、３００ｂをスケジューリングしただけである。しかしながら、ショートＰＤＣＣＨ領域内のショートＰＤＳＣＨのために使用されるリソースは、例えば、フリーであると示されるすべての利用可能なリソース、またはショートＰＤＳＣＨが割り当てられる同じ周波数割当てにマッピングされ、やはりフリーであると示されるリソースでよい。
【００９２】
ビットマップサイズを削減するための一方式は、ＣＣＥグループのサブセットのみを監視するように各ワイヤレスデバイス３００ａ、３００ｂを設定することである。例えば、１つのワイヤレスデバイス３００ａは、ＣＣＥグループ１および２のみをテストするように設定され得、別のワイヤレスデバイス３００ｂは、ＣＣＥグループ３および４のみをテストするように設定され得る。ワイヤレスデバイス３００ａについてのダウンリンク割当ては、ＣＣＥグループ１の位置１を使用してシグナリングされ得、ワイヤレスデバイス３００ｂについてのダウンリンク割当ては、ＣＣＥグループ４の位置１を使用してシグナリングされ得る。このケースでは、ビットマップの必要なしに、グループ１および２内の空のＣＣＥは、ワイヤレスデバイス３００ａについてのショートＰＤＳＣＨのために使用され、グループ３および４内の空のＣＣＥは、ワイヤレスデバイス３００ｂについてのショートＰＤＳＣＨのために使用される。
【００９３】
一実施形態は、これらのワイヤレスデバイス３００ａ、３００ｂが専用ＣＣＥグループを占有しないように、アップリンクでスケジューリングされるワイヤレスデバイス３００ａ、３００ｂについての高速ＤＣＩ送信を可能にする。前の実施形態で説明されたように、アップリンクグラントのためだけに使用されるＣＣＥグループは、他のワイヤレスデバイスのショートＰＤＳＣＨのための、このＣＣＥグループの残りのリソースの使用を防止する。
【００９４】
図１３では、ＵＥ１と示されるワイヤレスデバイスは、ダウンリンクでスケジューリングされ、ＵＥ２およびＵＥ３と示されるワイヤレスデバイスは、アップリンクでスケジューリングされる。ＵＥ２およびＵＥ３は、ＵＥ２がＣＣＥグループ内の位置１を使用し、ＵＥ３が位置２を使用するように設定される。このようにして、ＵＥ２およびＵＥ３についてのアップリンク高速ＤＣＩメッセージが、低ＡＬが使用される場合に重複することなく同じＣＣＥグループで送られ得る。したがって、ショートＰＤＣＣＨ探索スペースの未使用のリソースは、図１３では、ダウンリンクワイヤレスデバイス、すなわちＵＥ１のために図１０よりも良好に活用される。
【００９５】
本実施形態は、ＣＣＥグループごとにさらに多くの開始位置を含むように拡張され得る。これが図１４に示されている。したがって、どの位置を使用するかの設定は、より多くのビット数を必要とすることになる。この例では、開始位置はアグリゲーションレベルに依存する。
【００９６】
開始位置がすべてのＣＣＥグループについて同一であり、これらの開始位置を明示的に構成する必要があり得る、図１１および１４の代替が図１５に示されている。図１５は、２つのワイヤレスデバイス３００ａ、３００ｂの任意の組合せに同じＣＣＥグループ内で高速ＤＣＩを送ることを可能にするために、異なるワイヤレスデバイス３００ａ、３００ｂについての開始位置が、異なるＣＣＥグループの間で異なる一例を示す。この例ではＡＬ２だけが示されている。この例では、任意の２つのワイヤレスデバイス３００ａ、３００ｂは、明示的な制御シグナリングなしで、少なくとも１つの共通ＣＣＥグループ内で高速ＤＣＩを受信し得る。
【００９７】
図１５では、２つの異なるワイヤレスデバイス３００ａ、３００ｂの任意の組合せがＤＣＩメッセージを受信することを可能にする少なくとも２つのＣＣＥグループが発見され得る。１つが最小要件となる。図１６では、異なる設定が提示され、同じワイヤレスデバイス３００ａ、３００ｂが同じＣＣＥグループ内でＤＣＩメッセージを受信することが可能となる。
【００９８】
図１６は、図１３と同様であるが、同じＣＣＥグループ内の同じワイヤレスデバイス３００ａ、３００ｂについての２つの高速ＤＣＩメッセージを配置することが可能な一例を示す。これは、同じワイヤレスデバイス３００ａ、３００ｂに２つのＡＬ２メッセージを送信することが望ましい場合に有益であり得る。位置の総数を抑えるために、この場合、各ワイヤレスデバイス３００ａ、３００ｂは、４つのＣＣＥグループのうちの３つの中のＣＣＥメッセージを読み取り得るだけである。すると、例えば、ＵＥ１およびＵＥ２と示されるワイヤレスデバイスがＣＣＥグループ１内の２つの開始位置を探索することになるため、これは位置の数を増加させることになる。各ワイヤレスデバイス３００ａ、３００ｂについての開始位置の総数を制限するために、この例では、各ワイヤレスデバイス３００ａ、３００ｂが、ＣＣＥグループのサブセット、例えば４つのＣＣＥグループのうちの３つだけを探索するように設定される。（図１５と同様に）異なるワイヤレスデバイス３００ａ、３００ｂのそれぞれの組合せについて、少なくとも２つのＣＣＥグループが発見され得る、除去の前と比較して、少なくとも１つのＣＣＥグループ内の任意の２つのワイヤレスデバイス３００ａ、３００ｂの間の組合せを見つけることが依然として可能である。
【００９９】
別の実施形態によれば、ワイヤレスデバイス３００ａ、３００ｂが、ＣＣＥグループにまたがって使用されたアグリゲーションレベルを決定し（仮定し）得る場合、ダウンリンクでスケジューリングされるときにワイヤレスデバイス３００ａ、３００ｂが利用可能なリソースのより多くを利用できることが実現される。例えば、それぞれの対応するＣＣＥグループがフリーであるか否かを示すビットフィールドがワイヤレスデバイス３００ａ、３００ｂにシグナリングされ得る。この情報を、ワイヤレスデバイス３００ａ、３００ｂが自身のＤＬ割当てを復号化したＡＬを知ることと共に使用して、次いで、ワイヤレスデバイス３００ａ、３００ｂは、利用するように割り当てられる場合、ショートＰＤＳＣＨのために対応する未使用のリソースを利用し得る。割当ては、リソースがフリーである（すなわち、別のワイヤレスデバイスによって使用されていない）という指示、またはリソースがフリーであり、ショートＰＤＳＣＨのための割り当てられた周波数リソース内にあるという指示に基づき得る。
【０１００】
次に、ネットワークノード２００およびワイヤレスデバイス３００ａ、３００ｂによって実施される両方の方法に適用可能である、上記で開示された実施形態の概要が提供される。
【０１０１】
一実施形態によれば、情報は、制御メッセージを含まないＣＣＥのグループを示すだけである。次に、この実施形態の別の態様が開示される。
【０１０２】
同じワイヤレスデバイス３００ａは、同じＣＣＥグループ内の２つのＤＣＩメッセージを受信し得る。したがって、一実施形態によれば、制御メッセージがＣＣＥのグループのうちの１つで提供され、ワイヤレスデバイスについての別の制御メッセージも、ＣＣＥのグループのうちの上記で指定されたもので提供される。
【０１０３】
開始位置数の削減が、削減された数のＣＣＥのみを監視するように設定される各ワイヤレスデバイス３００ａ、３００ｂによって達成され得る。したがって、一実施形態によれば、ＣＣＥのグループのすべてよりも少ないものだけが、前記制御メッセージおよび／またはワイヤレスデバイスについての前記リソースを含むことが可能にされる。
【０１０４】
上記で開示されたように、ステップＳ１０６で送信され、ステップＳ２０８で受信される情報は、ビットマップによって定義され得る。そのようなビットマップは、ワイヤレスデバイス３００ａについてのデータメッセージを含む１つまたは複数のＣＣＥグループおよび／または制御メッセージを含む１つまたは複数のＣＣＥグループを示し得る。
【０１０５】
いくつかの態様によれば、各グループ内のＣＣＥの異なるＡＬがある。したがって、一実施形態によると、ＣＣＥの各グループは、少なくとも２つのアグリゲーションレベル（ＡＬ）のＣＣＥを含むようなサイズを有する。少なくとも２つのＡＬのうちの１つは最大ＡＬでよい。
【０１０６】
異なるタイプのリソースがある。一実施形態によると、リソースはダウンリンクリソースである。ダウンリンクリソースは、ショート物理ダウンリンク共有チャネル（ＰＤＳＣＨ）のために使用されるリソースでよい。
【０１０７】
例えば、ワイヤレスデバイス３００ａは、ＣＣＥグループ内のリソースがワイヤレスデバイス３００ａについての制御メッセージを含み、制御メッセージのために使用されていないリソースがデータメッセージについての割当てを含むと決定し得る。データメッセージについての割当ては、ダウンリンク割当て（すなわち、ショートＰＤＳＣＨ）でよい。
【０１０８】
ステップＳ１０６で送信され、ステップＳ２０８で受信される、異なるタイプの情報がある。一実施形態によれば、この情報は、ワイヤレスデバイス３００ａについての制御メッセージおよび／またはデータメッセージを含むＣＣＥのグループのうちの少なくとも１つの指示を含む。
【０１０９】
ステップＳ１０４で送信され、ステップＳ１０６で受信される、異なるタイプの制御メッセージがある。一実施形態によれば、制御メッセージは、ダウンリンク割当てまたはアップリンクグラントである。例えば、制御メッセージはダウンリンク制御情報（ＤＣＩ）でよく、かつ／または探索スペースはＣＣＥを含む制御チャネルでよく、かつ／または制御チャネルはＰＤＣＣＨでよい。ステップＳ１０４で送信され、ステップＳ２０６で受信される制御メッセージは、ワイヤレスデバイス３００ａに特有のものでよい。
【０１１０】
ワイヤレスデバイス３００ａによって使用されていないＣＣＥグループ内のリソースは、他のワイヤレスデバイス３００ｂに対するリソースのために使用され得る。したがって、一実施形態によれば、ワイヤレスデバイス３００ａについてのリソースのために使用されていないＣＣＥの任意のグループが、リソースのうちの少なくとも１つと、少なくとも１つの他のワイヤレスデバイス３００ｂについての制御メッセージとを含む。
【０１１１】
一実施形態によれば、ワイヤレスデバイス３００ａは、ショートＴＴＩで動作しており、制御メッセージは第２の制御メッセージであり、ワイヤレスデバイス３００ａは、ショートＴＴＩ動作のための周波数帯を示す第１の制御メッセージをさらに受信する。第１の制御メッセージは低速ＤＣＩメッセージでよく、第２の制御メッセージは高速ＤＣＩメッセージでよい。低速ＤＣＩメッセージは共通探索スペース内にあってよく、高速ＤＣＩはデバイス特有の探索スペース内にあってよい。
【０１１２】
ＣＣＥグループ内の制御メッセージの開始位置は、異なるアグリゲーションレベルの制御メッセージに共通でよい。
【０１１３】
ワイヤレスデバイス３００ａは、ＣＣＥグループ内の制御メッセージを受信する唯一のワイヤレスデバイスでよく、またはワイヤレスデバイス３００ａは、１つまたは複数の別のワイヤレスデバイス３００ｂとＣＣＥグループを共有する。追加または代替として、複数のワイヤレスデバイス３００ａ、３００ｂが、アップリンクグラントをそれぞれ受信するためにＣＣＥグループを共有し得る。
【０１１４】
図１７は、一実施形態によるネットワークノード２００の構成要素をいくつかの機能単位によって概略的に示す。処理回路２１０は、例えば記憶媒体２３０の形態の、（図２１と同様に）コンピュータプログラム製品１０１０ａ内に記憶されるソフトウェア命令を実行することのできる、適切な中央演算処理装置（ＣＰＵ）、マルチプロセッサ、マイクロコントローラ、デジタル信号プロセッサ（ＤＳＰ）などのうちの１つまたは複数の任意の組合せを使用して提供される。処理回路２１０は、少なくとも１つの特定用途向け集積回路（ＡＳＩＣ）、またはフィールドプログラマブルゲートアレイ（ＦＰＧＡ）としてさらに提供され得る。
【０１１５】
具体的には、処理回路２１０は、上記で開示されるような動作のセット、すなわちステップＳ１０２〜Ｓ１０６をネットワークノード２００に実施させるように設定される。例えば、記憶媒体２３０は動作のセットを記憶し得、処理回路２１０は、記憶媒体２３０から動作のセットを取り出し、動作のセットをネットワークノード２００に実施させるように設定され得る。動作のセットは、実行可能命令のセットとして提供され得る。したがって、それによって処理回路２１０は、本明細書で開示される方法を実行するように構成される。
【０１１６】
記憶媒体２３０はまた、永続的ストレージをも備え得、永続的ストレージは、例えば、磁気メモリ、光メモリ、固体メモリ、さらにはリモートに取り付けられたメモリのうちの任意の単一のものまたは組合せでよい。
【０１１７】
ネットワークノード２００は、少なくともワイヤレスデバイス３００ａ、３００ｂとの通信のための通信インターフェース２２０をさらに備え得る。したがって、通信インターフェース２２０は、アナログおよびデジタル構成要素と、ワイヤレス通信のための適切な数のアンテナと、ワイヤーライン通信のためのポートとを備える１つまたは複数の送信機および受信機を備え得る。
【０１１８】
処理回路２１０は、例えば通信インターフェース２２０および記憶媒体２３０にデータおよび制御信号を送ることによって、通信インターフェース２２０からデータおよびレポートを受信することによって、および記憶媒体２３０からデータおよび命令を取り出すことによって、ネットワークノード２００の一般的動作を制御する。本明細書で提示される概念を不明瞭にしないために、ネットワークノード２００の他の構成要素、ならびに関連する機能は省略される。
【０１１９】
図１８は、一実施形態によるネットワークノード２００の構成要素をいくつかの機能モジュールによって概略的に示す。図１８のネットワークノード２００は、いくつかの機能モジュール、すなわち、ステップＳ１０４を実施するように設定された送信モジュール２１０ａと、ステップＳ１０６を実施するように設定された送信モジュール２１０ｂとを備える。図１８のネットワークノード２００は、ステップＳ１０２を実施するように設定された送信モジュール２１０ｃなどの、いくつかの任意選択の機能モジュールをさらに備え得る。一般条件では、各機能モジュール２１０ａ〜２１０ｃは、ハードウェアまたはソフトウェアで実装され得る。好ましくは、１つまたは複数またはすべての機能モジュール２１０ａ〜２１０ｃは、処理回路２１０によって、恐らくは機能単位２２０および／または２３０と協働して実装され得る。したがって、処理回路２１０は、機能モジュール２１０ａ〜２１０ｃによって提供される命令を記憶媒体２３０からフェッチし、これらの命令を実行し、それによって本明細書で開示されるネットワークノード２００の任意のステップを実施するように構成され得る。
【０１２０】
ネットワークノード２００は、スタンドアロンデバイスまたは少なくとも１つの別のデバイスの一部として提供され得る。例えば、ネットワークノード２００は、無線アクセスネットワーク１１０のノード、またはコアネットワーク１２０のノードで提供され得る。例えば、ネットワークノード２００、または少なくともネットワークノード２００の機能は、無線基地局、送受信基地局、ＮｏｄｅＢ、エボルブドＮｏｄｅＢ、アクセスポイント、またはアクセスノードで実装され得る。あるいは、ネットワークノード２００の機能は、少なくとも２つのデバイス、またはノードの間で分散され得る。これらの少なくとも２つのノード、またはデバイスは、同じネットワーク部分（無線アクセスネットワーク１１０やコアネットワーク１２０など）の部分でよく、または少なくとも２つのそのようなネットワーク部分の間で分散され得る。一般条件では、リアルタイムで実施する必要のある命令は、無線アクセスネットワーク１１０内のデバイスまたはノードで実施され得る。
【０１２１】
ネットワークノード２００によって実施される命令の最初の部分は、第１のデバイスで実行され得、ネットワークノード２００によって実施される命令の第２の部分は、第２のデバイスで実行され得、本明細書で開示される実施形態は、ネットワークノード２００によって実施される命令が実行され得る何らかの特定の数のデバイスに限定されない。したがって、本明細書で開示される実施形態による方法は、クラウド計算環境内にあるネットワークノード２００によって実施されることに適している。したがって、単一の処理回路２１０が図１７には示されているが、処理回路２１０は、複数のデバイス、またはノードの間で分散され得る。同じことが、図１８の機能モジュール２１０ａ〜２１０ｃ、および図２１のコンピュータプログラム１０２０ａ（以下参照）にも当てはまる。
【０１２２】
図１９は、一実施形態によるワイヤレスデバイス３００ａ、３００ｂの構成要素をいくつかの機能単位によって概略的に示す。処理回路３１０は、例えば記憶媒体３３０の形態の、（図２１と同様の）コンピュータプログラム製品１０１０ｂ内に記憶されたソフトウェア命令を実行することのできる、適切な中央演算処理装置（ＣＰＵ）、マルチプロセッサ、マイクロコントローラ、デジタル信号プロセッサ（ＤＳＰ）などのうちの１つまたは複数の任意の組合せを使用して提供される。処理回路３１０は、少なくとも１つの特定用途向け集積回路（ＡＳＩＣ）、またはフィールドプログラマブルゲートアレイ（ＦＰＧＡ）としてさらに提供され得る。
【０１２３】
具体的には、処理回路３１０は、上記で開示されるような動作のセット、すなわちステップＳ２０２〜Ｓ２０８をワイヤレスデバイス３００ａ、３００ｂに実施させるように設定される。例えば、記憶媒体３３０は動作のセットを記憶し得、処理回路３１０は、記憶媒体３３０から動作のセットを取り出し、動作のセットをワイヤレスデバイス３００ａ、３００ｂに実施させるように設定され得る。動作のセットは、実行可能命令のセットとして提供され得る。したがって、それによって処理回路３１０は、本明細書で開示される方法を実行するように構成される。
【０１２４】
記憶媒体３３０はまた、永続的ストレージをも備え得、永続的ストレージは、例えば、磁気メモリ、光メモリ、固体メモリ、さらにはリモートに取り付けられたメモリのうちの任意の単一のものまたは組合せでよい。
【０１２５】
ワイヤレスデバイス３００ａ、３００ｂは、少なくともネットワークノード２００との通信のための通信インターフェース３２０をさらに備え得る。したがって、通信インターフェース３２０は、アナログおよびデジタル構成要素と、ワイヤレス通信のための適切な数のアンテナと、ワイヤーライン通信のためのポートとを備える１つまたは複数の送信機および受信機を備え得る。
【０１２６】
処理回路３１０は、例えば通信インターフェース３２０および記憶媒体３３０にデータおよび制御信号を送ることによって、通信インターフェース３２０からデータおよびレポートを受信することによって、および記憶媒体３３０からデータおよび命令を取り出すことによって、ワイヤレスデバイス３００ａ、３００ｂの一般的動作を制御する。本明細書で提示される概念を不明瞭にしないために、ワイヤレスデバイス３００ａ、３００ｂの他の構成要素、ならびに関連する機能は省略される。
【０１２７】
図２０は、一実施形態によるワイヤレスデバイス３００ａ、３００ｂの構成要素をいくつかの機能モジュールによって概略的に示す。図２０のワイヤレスデバイス３００ａ、３００ｂは、いくつかの機能モジュール、すなわち、ステップＳ２０６を実施するように設定された受信モジュール３１０ａと、ステップＳ２０８を実施するように設定された受信モジュール３１０ｂとを備える。図２０のワイヤレスデバイス３００ａ、３００ｂは、ステップＳ２０２を実施するように設定された受信モジュール３１０ｃ、ステップＳ２０４を実施するように設定された受信モジュール３１０ｄのいずれかなどの、いくつかの任意選択の機能モジュールをさらに備え得る。一般条件では、各機能モジュール３１０ａ〜３１０ｄは、ハードウェアまたはソフトウェアで実装され得る。好ましくは、１つまたは複数またはすべての機能モジュール３１０ａ〜３１０ｄは、処理回路３１０によって、恐らくは機能単位３２０および／または３３０と協働して実装され得る。したがって、処理回路３１０は、機能モジュール３１０ａ〜３１０ｄによって提供される命令を記憶媒体３３０からフェッチし、これらの命令を実行し、それによって本明細書で開示されるワイヤレスデバイス３００ａ、３００ｂの任意のステップを実施するように構成され得る。
【０１２８】
図２１は、コンピュータ可読手段１０３０を備えるコンピュータプログラム製品１０１０ａ、１０１０ｂの一例を示す。このコンピュータ可読手段１０３０上にコンピュータプログラム１０２０ａが記憶され得、コンピュータプログラム１０２０ａは、処理回路２１０と、通信インターフェース２２０や記憶媒体２３０などの、処理回路２１０に動作可能に結合されたエンティティおよびデバイスとに、本明細書で説明される実施形態による方法を実行させ得る。したがって、コンピュータプログラム１０２０ａおよび／またはコンピュータプログラム製品１０１０ａは、本明細書で開示されたネットワークノード２００の任意のステップを実施するための手段を提供し得る。このコンピュータ可読手段１０３０上にコンピュータプログラム１０２０ｂが記憶され得、コンピュータプログラム１０２０ｂは、処理回路３１０と、通信インターフェース３２０や記憶媒体３３０などの、処理回路３１０に動作可能に結合されたエンティティおよびデバイスとに、本明細書で説明される実施形態による方法を実行させ得る。したがって、コンピュータプログラム１０２０ｂおよび／またはコンピュータプログラム製品１０１０ｂは、本明細書で開示されたワイヤレスデバイス３００ａ、３００ｂの任意のステップを実施するための手段を提供し得る。
【０１２９】
図２１の例では、コンピュータプログラム製品１０１０ａ、１０１０ｂは、ＣＤ（コンパクトディスク）、ＤＶＤ（デジタルバーサタイルディスク）、Ｂｌｕｅ−ｒａｙディスクなどの光ディスクとして示されている。コンピュータプログラム製品１０１０ａ、１０１０ｂはまた、ランダムアクセスメモリ（ＲＡＭ）、読取り専用メモリ（ＲＯＭ）、消去可能プログラマブル読取り専用メモリ（ＥＰＲＯＭ）、電気消去可能プログラマブル読取り専用メモリ（ＥＥＰＲＯＭ）などのメモリとして、より具体的には、ＵＳＢ（ユニバーサルシリアルバス）メモリや、コンパクトフラッシュメモリなどのフラッシュメモリなどの外部メモリ内のデバイスの不揮発性記憶媒体として実施され得る。したがって、コンピュータプログラム１０２０ａ、１０２０ｂは、図示される光ディスク上のトラックとしてここでは概略的に示されているが、コンピュータプログラム１０２０ａ、１０２０ｂは、コンピュータプログラム製品１０１０ａ、１０１０ｂに適した任意の方式で記憶され得る。
【０１３０】
本開示の例は、ワイヤレスデバイスについてのリソースを含むＣＣＥのグループのうちの少なくとも１つを示す情報をワイヤレスデバイスに送信することを説明する。別の例では、ワイヤレスデバイスは、例えば所定の割当てによって、または別のメッセージのパラメータから決定することによって、情報を受信することなくＣＣＥのグループを決定する。
【０１３１】
アグリゲーションレベルへの参照は、探索スペース（例えば、ＣＳＳ、ＵＳＳ）のアグリゲーションレベル、ＣＣＥのアグリゲーションレベル、または制御メッセージ（例えば、探索スペース内のアグリゲートされたＣＣＥから形成された制御メッセージ）のアグリゲーションレベルを指すことがある。
【０１３２】
いくつかの例では、低速グラントは、ワイヤレスデバイスのショートＴＴＩ動作のための周波数帯の情報を含む制御メッセージと見なされ得る。いくつかの例では、低速グラントは、ＣＳＳ内の制御メッセージと見なされ得、かつ／または高速グラントは、ＵＳＳ内の制御メッセージと見なされ得る。いくつかの例では、低速グラントは、サブフレームごとに１回送信される制御メッセージと見なされ得、かつ／または高速グラントは、サブフレームごとに複数回（例えば、セルによってサービスされるｓＴＴＩ動作でのワイヤレスデバイスごとに１回）送信される（または送信を可能にする時間リソースを使用する）制御メッセージタイプと見なされ得る。
【０１３３】
制御メッセージの任意の例は、制御情報メッセージとも呼ばれ得る。
【０１３４】
１ｍｓ持続するＬＴＥサブフレームが、通常のＣＰについての１４個のＯＦＤＭシンボルを含む。Ｎｅｗ  Ｒａｄｉｏ（５Ｇ）（ＮＲ）サブフレームが、１ｍｓの固定持続時間を有し得、したがって異なる副搬送波間隔についての異なる数のＯＦＤＭシンボルを含み得る。ＬＴＥスロットは、通常のＣＰについての７個のＯＦＤＭシンボルに対応する。ＮＲスロットは、７または１４個のＯＦＤＭシンボルに対応し、１５ｋＨｚ副搬送波間隔で、７個のＯＦＤＭシンボルを有するスロットは０．５ｍｓを占有する。ＮＲ用語に関して、３ＧＰＰ  ＴＲ  ３８．８０２  ｖ１４．０．０以降のバージョンに参照が行われる。
【０１３５】
本開示の態様は、ＬＴＥまたはＮＲ無線通信のどちらにも適用可能であり得る。あるいは、ショートＴＴＩへの参照は、ＮＲ用語に従ってミニスロットと見なされ得る。ミニスロットは、１シンボル、２シンボル、３以上のシンボルの長さ、または、１シンボルと、ＮＲスロット長から１シンボルを引いた長さとの間の長さを有し得る。ショートＴＴＩは、１シンボル、２シンボル、３以上のシンボルの長さ、ＬＴＥスロット長（７シンボル）、または、１シンボルと、ＬＴＥサブフレーム長から１シンボルを引いた長さとの間の長さを有し得る。ショートＴＴＩ、またはミニスロットは、１ｍｓ未満、または０．５ｍｓ未満の長さを有すると見なされ得る。
【０１３６】
いくつかの実施形態を参照して、主に本発明の概念が上記で説明された。しかしながら、当業者によって容易に理解されるように、上記で開示されたもの以外の他の実施形態は、添付の特許請求の範囲によって定義されるように、本発明の概念の範囲内で等しく可能である。
【図１】
2019521566.tif 000004
【図２】
2019521566.tif 000005
【図３】
2019521566.tif 000006
【図４】
2019521566.tif 000007
【図５】
2019521566.tif 000008
【図６】
2019521566.tif 000009
【図７】
2019521566.tif 000010
【図８】
2019521566.tif 000011
【図９】
2019521566.tif 000012
【図１０】
2019521566.tif 000013
【図１１】
2019521566.tif 000014
【図１２】
2019521566.tif 000015
【図１３】
2019521566.tif 000016
【図１４】
2019521566.tif 000017
【図１５】
2019521566.tif 000018
【図１６】
2019521566.tif 000019
【図１７】
2019521566.tif 000020
【図１８】
2019521566.tif 000021
【図１９】
2019521566.tif 000022
【図２０】
2019521566.tif 000023
【図２１】
2019521566.tif 000024
【国際調査報告】
2019521566.tif 000025
2019521566.tif 000026
2019521566.tif 000027